(57)【要約】【課題】任意の複数のループ形状での画像合成を可能としたデジィタル画像形成装置を提供する。【解決手段】演算データ・制御プログラムを記憶するデータ記憶手段４と、制御用プログラムにより演算処理をする演算処理手段１と、原稿を光学的に読み取りそれを光電変換してＲＧＢ画像データ及び２値の画像データを得る原稿読み取り手段３と、その読み取った画像を記憶する画像記憶手段５と、またその画像を表示し、指定された座標点を入力する表示・操作手段２と、その指定された座標点を多角形化し記憶するエリア格納手段６とを備えたデジィタル画像形成装置において、演算処理手段１は、任意のループ形状の画像を複数合成する機能を有する。【選択図】　　　図１
2004023280.tif 000002
【特許請求の範囲】
【請求項１】
演算データ・制御プログラムを記憶するデータ記憶手段と、制御用プログラムにより演算処理をする演算処理手段と、原稿を光学的に読み取りそれを光電変換してＲＧＢ画像データ及び２値の画像データを得る原稿読み取り手段と、その読み取った画像を記憶する画像記憶手段と、該画像記憶手段により記憶された画像を表示し、指定された座標点を入力する表示・操作手段と、その指定された座標点を多角形化し記憶するエリア格納手段と、を備えたデジィタル画像形成装置において、
前記演算処理手段は、任意のループ形状の画像を複数合成する機能を有することを特徴とするデジィタル画像形成装置。
【請求項２】
請求項１記載のデジィタル画像形成装置において、前記エリア格納手段によるエリア信号を使って前記画像記憶手段上に任意のループ形状画像を複数形成することを特徴とするデジィタル画像形成装置。
【請求項３】
請求項１記載のデジィタル画像形成装置において、前記画像記憶手段上で複数の抽出画像と背景画像を合成することを特徴とするデジィタル画像形成装置。
【発明の詳細な説明】
【０００１】
【発明の属する技術分野】
本発明は、画像合成機能を要したデジィタル画像形成装置に関するものである。
【０００２】
【従来の技術】
演算データ・制御プログラムを記憶するデータ記憶手段と、制御用プログラムにより演算処理をする演算処理手段と、原稿を光学的に読み取りそれを光電変換してＲＧＢ画像データ及び２値の画像データを得る原稿読み取り手段と、その読み取った画像を記憶する画像記憶手段と、またその画像を表示し、指定された座標点を入力する表示・操作手段と、その指定された座標点を多角形化し記憶するエリア格納手段とを備えたデジィタル画像形成装置が種種提案されている。
【０００３】
【発明が解決しようとする課題】
上記デジィタル画像形成装置にあつては、従来、画像合成機能において、合成エリアは長方形のみであり、位置・大きさ（変倍）の選択はできたが形状・個数の選択はできなかった。
本発明は、前記課題に鑑み、任意の複数のループ形状での画像合成を可能としたデジィタル画像形成装置を提供することを目的とする。
【０００４】
【課題を解決するための手段】
上記目的を達成するために、請求項１記載の発明は、演算データ・制御プログラムを記憶するデータ記憶手段と、制御用プログラムにより演算処理をする演算処理手段と、原稿を光学的に読み取りそれを光電変換してＲＧＢ画像データ及び２値の画像データを得る原稿読み取り手段と、その読み取った画像を記憶する画像記憶手段と、該画像記憶手段により記憶された画像を表示し、指定された座標点を入力する表示・操作手段と、その指定された座標点を多角形化し記憶するエリア格納手段と、を備えたデジィタル画像形成装置において、前記演算処理手段は、任意のループ形状の画像を複数合成する機能を有することを特徴とする。
請求項２記載の発明は、請求項１記載のデジィタル画像形成装置において、エリア格納手段によるエリア信号を使って画像記憶手段上に任意のループ形状画像を複数形成することを特徴とする。
請求項３記載の発明は、請求項１記載のデジィタル画像形成装置において、画像記憶手段上で複数の抽出画像と背景画像を合成することを特徴とする。
ここで上記原稿読み取り手段はスキャナ、ＣＣＤを有し、原稿台に置かれた原稿を６００ｄｐｉの画素密度で各ＲＧＢそれぞれ０〜２５５データとしてメモリ（上記ＲＧＢメモリ）に格納する。またＧデータのみを２値化（０ｏｒ１）し、ビットマップメモリ（１画素を８ビットのデータとして保存するメモリ（揮発）の集合ＡＳＩＣ）に３００ｄｐｉとして格納する。
またこの時のビットマップメモリ１画素８ビットのデータ内容は、
０〜４ｂｉｔ：エリアのグループ番号（各エリアの識別用、上記エリア信号）
５ｂｉｔ：エリアの開始・終了（トグル式）
６ｂｉｔ：閉ループ追跡用ｂｉｔ（本発明には関係なし）
７ｂｉｔ：原稿画像データ（上記濃度で１画像有り、０画像無し）
また上記エリア信号とは、上記のビットマップメモリ１画素８ビットのデータが、０〜４ｂｉｔが１（グループ１番）で５ｂｉｔ目が１の時アサートして次の０〜４ｂｉｔが１で５ｂｉｔ目が１の時ネゲートするゲート信号である。またこのビットマップメモリ（エリア信号）とスキャン画像とＲＧＢメモリ出力画像はすべて同期がとられている。
また上記表示・操作手段とは、読み取った原稿画像を表示するディスプレイエディタ（１００ｄｐｉ＊１００ｄｐｉ）と、その画像表示されたディスプレイ上よりタッチペン等で指定点を認識する手段である。
また指定点（座標点）とビットマップメモリとの関係は、座標点原点をメモリアドレス上のある（８０００００ｈ）番地とし、
座標点　　　　　アドレス
（０、０）　　　　８０００００ｈの下位８ｂｉｔ
（１、０）　　　　８０００００ｈの上位８ｂｉｔ
（２、０）　　　　８００００２ｈの下位８ｂｉｔ
（３、０）　　　　８００００２ｈの上位８ｂｉｔ
のように座標点とビットマップ゜メモリを対応させ格納する。
【０００５】
【発明の実施の形態】
以下、図面により本発明の実施の形態を詳細に説明する。図１は本発明の実施の形態に係るデジィタル画像形成装置の機能ブロック図である。本デジィタル画像形成装置は、制御用プログラムにより演算処理をする演算処理手段（ＣＰＵ）１と、原稿画像を表示し、指定された座標点を入力する表示・操作手段（ディスプレイエディタ）２と、原稿を光学的に読み取りそれを光電変換してＲＧＢ画像データ及び２値の画像データを得る原稿読み取り手段（スキャナ・ＣＣＤ等）３と、演算データ・制御プログラムを記憶するデータ記憶手段（ＲＡＭ（揮発・不揮発）・ＲＯＭ）４と、読み取った画像を記憶する画像記憶手段（ＲＧＢメモリ）５と、指定された座標点を多角形化し記憶するエリア格納手段（ビットマップメモリ）６とを備えたものである。
【０００６】
次に各図の説明をする。図２は表示・操作手段画面上の抽出画像（合成部分の画像）と背景画像を表したものである。左側のＡとＢを囲んだ任意ループ内が抽出画像である。
図３はＲＧＢメモリ上での合成画像を表している。始めに背景画像を書き込み、次にビットマップメモリ６上に書かれた任意のループ形状Ａ、Ｂからのエリア信号により（エリア信号がアサート中画像をＲＧＢメモリ５に書き込む）、抽出画像をすでに書き込まれている背景画像に上書きしている。
図４はビットマップメモリ上の抽出エリアを表したものである。図２でのＡ、Ｂを囲んだ任意ループをビットマップメモリ６上に格納している。原稿台左奥の基準位置とビットマップメモリ６上の座標原点は一致させている。座標原点（主走査方向０ｄｏｔ〜７０１５ｄｏｔ、副走査方向０ｌｉｎｅ〜１０２００ｌｉｎｅ）をメモリアドレス上のある（８０００００ｈ）番地とし、
座標点　　　　　アドレス
（０、０）　　　　８０００００ｈの下位８ｂｉｔ
（１、０）　　　　８０００００ｈの上位８ｂｉｔ
（２、０）　　　　８００００２ｈの下位８ｂｉｔ
（３、０）　　　　８００００２ｈの上位８ｂｉｔ
のように座標点とビットマップメモリ６は対応している。また任意のループ取得手段は、ユーザにより任意ループの描かれた原稿を圧板上に置いてもらい、原稿読み取りキーでスキャンを開始し上記表示・操作手段（ディスプレイエディタ）２上に表示する。
上記表示・操作手段２とは、読み取った原稿画像を表示するディスプレイ（１００ｄｐｉ＊１００ｄｐｉ）と、その画像表示されたディスプレイ上よりタッチペン等で指定点を認識する手段である（ディスプレイ表示された画像上のどのループ画像を認識するかをループ画像の内側を１点指定し、そのループを認識する）。
またループ画像とは、ビットマップメモリ６上で２値化された画素（１が原稿上の黒部（濃い色部）、０が原稿上の白部（薄い色部））の１の部分が連続していてある１の始点から１の部分を連続してたどるとその始点に帰着できる画像をいう。
またディスプレイ上で指定された座標点（指定点）から任意のループ画像の認識に際しては、ビットマップメモリ６上で指定点の副走査座標はそのままで主走査座標を−１ずつ減じていき、初めに１（ビットマップメモリ６上の上記０〜７ｂｉｔの７ｂｉｔが１）であった座標を認識するループ画像の始点とし、その８近傍を左回りに検索し、次点を探し、またその次点の８近傍を左回りに検索するといった方法で次々に検索していき、始点に戻ることによってループ画像を認識する。
【０００７】
図５は図４における座標８近傍を示したものである。中央のＸは現在の座標位置、回りの数字は検索順を示したものである。Ｘの位置へ６方向から移動してきた場合Ｘの位置では、７、８、１、２と検索していく。
図６はループ画像の認識動作を示したもので、指定点から主走査方向に減じていき、検索開始点を見つけ図５の座標８近傍で示されるように左回りで検索していき、矢印の様に進んでいく。
図７は本発明の制御動作を示すフローチャートである。初めに画像合成開始入力を待ち開始キーが押されたら（Ｓ１）、原稿を原稿読み取り手段３で読み込み、ディスプレイエディタ２に表示する（Ｓ２）。
次に、抽出画像上の合成エリアの指定を待ち（任意ループの指定）、指定されたら（最後に確定キー）（Ｓ３）、ビットマップメモリ６上に指定形状を書き込む。（Ｓ４）。
任意ループのビットマップメモリ６上への描画に際しては、上記図５、図６での説明のように、ビットマップメモリ６上でユーザに指定された指定点からその副走査座標はそのままで、主走査座標を−１ずつ減じていき、初めに１（ビットマップメモリ６上の上記０〜７ｂｉｔの７ｂｉｔが１）であった座標を認識するループ画像の始点とし、その８近傍を左回りに検索し、次点を探し、またその次点の８近傍を左回りに検索するといった方法で次々に検索していき、始点に戻ることによってループ画像を認識する。
ループ画像と認識されたら、ループ描画点上の各ビット（ビットマップメモリ６上のビット）にビット０を１、ビット５を１にすることでビットマップメモリ６への描画とする。
次に、合成エリアの背景画像上の位置の指定を待つ（Ｓ５）。次にコピースタートを待ち（Ｓ６）、コピースタートキーが押されたら始めに背景画像をスキャンしＲＧＢメモリ５へ書き込む。
次に抽出画像をスキャンし、ビットマップメモリ６上の合成エリアによるエリア信号により合成エリア部だけをＲＧＢメモリ５上に上書きすることで、画像合成を行う（エリア信号がアサート中のみスキャナ画像をＲＧＢメモリ５へ書き込む）（Ｓ７）。
【０００８】
【発明の効果】
以上説明したように、請求項１によれば、画像合成機能において、合成エリアの形状を複数の任意のループで作ることができることで合成形状・個数の選択の幅を広げられる。
請求項２によれば、ＲＧＢメモリＡＳＩＣだけでの合成機能の場合主走査側の設定範囲が変更されるごとに必要な設定レジスタを無くし、エリア信号方式とすることでビットマップメモリ上で簡単な設定をすることができ、形状も多種多様となる。
請求項３によれば、ＲＧＢメモリ上での合成の場合スキャンの回数が減りＣＰＭ（コピー／分）が増やせる。
【図面の簡単な説明】
【図１】本発明の実施の形態に係るデジィタル画像形成装置の機能ブロック図である。
【図２】表示・操作手段画面上の抽出画像（合成部分の画像）と背景画像を表した図である。
【図３】ＲＧＢメモリ上での合成画像を表した図である。
【図４】ビットマップメモリ上の抽出エリアを表した図である。
【図５】図４における座標８近傍を示した図である。
【図６】ループ画像の認識動作を示した図である。
【図７】本発明の制御動作を示すフローチャートである。
【符号の説明】
１　演算処理手段
２　表示・操作手段
３　原稿読み取り手段
４　データ記憶手段
５　画像記憶手段
６　エリア格納手段
【図１】
2004023280.tif 000003
【図２】
2004023280.tif 000004
【図３】
2004023280.tif 000005
【図４】
2004023280.tif 000006
【図５】
2004023280.tif 000007
【図６】
2004023280.tif 000008
【図７】
2004023280.tif 000009